(57)【要約】【課題】  ルーバーを着脱可能にした温風暖房機において、内部温度が冷えていてルーバーを外して清掃を行っても安全であるというタイミングを使用者が容易に確認できるようにした使い勝手のよい温風暖房機を提供する。【解決手段】  温風暖房機の本体１と、この本体１内に設置された熱源２と、本体１内部の温度を検知する内部温度検知手段１４と、本体１外面に設けられた温風吹出口５と、この温風吹出口５に設けられた着脱可能なルーバー７と、各種設定を行う複数のスイッチや前記熱源２の運転状態等を表示する表示器で構成された操作表示部３と、この操作表示部３に設けられた多色表示器３ａと、前記内部温度検知手段１４によって検知された内部温度が所定温度以上である場合と所定温度未満である場合とで前記多色表示器３ａに表示色を異ならせて表示を行わせる制御手段１６とを備える。【選択図】        図１
2005201568.tif 000002
【特許請求の範囲】
【請求項１】
温風暖房機の本体と、この本体内に設置された熱源と、本体内部の温度を検知する内部温度検知手段と、本体外面に設けられた温風吹出口と、この温風吹出口に設けられた着脱可能なルーバーと、各種設定を行う複数のスイッチや前記熱源の運転状態等を表示する表示器で構成された操作表示部と、この操作表示部に設けられた多色表示器と、前記内部温度検知手段によって検知された内部温度が所定温度以上である場合と所定温度未満である場合とで前記多色表示器の表示色を異ならせて表示を行わせる制御手段とを備えたことを特徴とする温風暖房機。
【請求項２】
前記多色表示器は、２色以上の表示が可能な多色ＬＥＤで構成したことを特徴とする請求項１記載の温風暖房機。
【請求項３】
前記多色表示器は、２色以上の表示が可能な７セグメント表示器で構成したことを特徴とする請求項１記載の温風暖房機。
【請求項４】
温風暖房機の本体と、この本体内に設置された熱源と、本体内部の温度を検知する内部温度検知手段と、本体外面に設けられた温風吹出口と、この温風吹出口に設けられた着脱可能なルーバーと、各種設定を行う複数のスイッチや前記熱源の運転状態等を表示する表示器で構成された操作表示部と、この操作表示部内に設けられた２色以上の表示が可能な７セグメント表示器と、この７セグメント表示器の表示内容を切り換えるための表示切換手段と、この表示切換手段により、前記７セグメント表示器の表示内容に機器の内部温度状態の表示が選択されると、前記内部温度検知手段によって検知された内部温度が所定温度以上である場合には、前記７セグメント表示器に内部温度が高温であることを示す特定のコード表示を行わせ、所定温度未満である場合には、前記７セグメント表示器に内部温度が低温であることを示す特定のコード表示を行わせる制御手段とを備えたことを特徴とする温風暖房機。
【請求項５】
前記制御手段は、前記表示切換手段により、前記７セグメント表示器の表示内容に機器の内部温度状態の表示が選択されると、前記内部温度検知手段によって検知された内部温度が所定温度以上である場合には、前記７セグメント表示器に内部温度が高温であることを示す特定のコードを赤色表示で行わせ、所定温度未満である場合には、前記７セグメント表示器に内部温度が低温であることを示す特定のコードを緑色表示で行わせるようにしたことを特徴とする請求項４記載の温風暖房機。
【請求項６】
温風暖房機の本体と、この本体内に設置された熱源と、本体内部の温度を検知する内部温度検知手段と、本体外面に設けられた温風吹出口と、この温風吹出口に設けられた着脱可能なルーバーと、各種設定を行う複数のスイッチや前記熱源の運転状態等を表示する表示器で構成された操作表示部と、この操作表示部内に設けられた２色以上の表示が可能な７セグメント表示器と、確認音や警告音等を発する報知器と、前記ルーバーの着脱状態を検知するルーバー検知手段と、このルーバー検知手段によってルーバーの脱状態が検知され、かつ前記内部温度検知手段によって検知された内部温度が所定温度以上である場合に、前記報知器により警告音を鳴らすと共に、前記７セグメント表示器に内部温度が高温であることを示す特定のコード表示を赤色の点滅表示で行わせる制御手段とを備えたことを特徴とする温風暖房機。
【請求項７】
温風暖房機の本体と、この本体内に設置された熱源と、本体内部の温度を検知する内部温度検知手段と、本体外面に設けられた温風吹出口と、この温風吹出口に設けられた着脱可能なルーバーと、各種設定を行う複数のスイッチや前記熱源の運転状態等を表示する表示器で構成された操作表示部と、この操作表示部内に設けられた２色以上の表示が可能な７セグメント表示器と、確認音や警告音等を発する報知器と、前記ルーバーの着脱状態を検知するルーバー検知手段と、このルーバー検知手段によってルーバーの脱状態が検知され、かつ前記内部温度検知手段によって検知された内部温度が所定温度以上である場合に、前記報知器により警告音を鳴らすと共に、前記７セグメント表示器に内部温度で表示を行わせる制御手段とを備えたことを特徴とする温風暖房機。
【発明の詳細な説明】
【技術分野】
【０００１】
本発明は、電気ファンヒーター、石油ファンヒーター、及びガスファンヒーター等の温風によって室内の暖房を行う温風暖房機に関するものである。
【背景技術】
【０００２】
従来の温風暖房機において、ルーバーや温風吹出口付近（本体内部）の清掃性をよくするために、温風吹出口に対してルーバーを着脱可能に構成したものがある（例えば、特許文献１参照）。
【０００３】
【特許文献１】特開２００２−１６８５２８号公報（第２−４頁、図１）
【発明の開示】
【発明が解決しようとする課題】
【０００４】
しかしながら、上記従来の温風暖房機では、使用者が取扱説明書等を無視して消火直後や燃焼中にルーバーを外して清掃を行った場合、バーナーでの燃焼は停止させるものの、本体内部はしばらく高温であるため、本体内部の高温部に触れて火傷等をしてしまう惧れがあるという安全面での問題点があった。
【０００５】
また上記理由から、本体内部が触れても安全な温度に冷えるまで、消火後ある程度時間が経過してから、ルーバーを外して清掃を行ってもらう必要があるのだが、消火後、本体内部が冷えるまでの時間は機器の周囲温度や燃焼時間等に影響されるため、ルーバーを外して清掃を行っても安全であるというタイミングが分かり辛いという問題点があった。
【０００６】
本発明は、上記のような問題点を解決するもので、ルーバーを外して清掃を行っても安全であるというタイミングを使用者に分かり易くした使い勝手のよい温風暖房機を提供することを目的としている。
【課題を解決するための手段】
【０００７】
本発明にかかわる温風暖房機の制御装置は、温風暖房機の本体と、この本体内に設置された熱源と、本体内部の温度を検知する内部温度検知手段と、本体外面に設けられた温風吹出口と、この温風吹出口に設けられた着脱可能なルーバーと、各種設定を行う複数のスイッチや前記熱源の運転状態等を表示する表示器で構成された操作表示部と、この操作表示部内に設けられた多色表示器と、前記内部温度検知手段によって検知された内部温度が所定温度以上である場合と所定温度未満である場合とで前記多色表示器の表示色を異ならせて表示を行わせる制御手段とを備えたものである。
【発明の効果】
【０００８】
本発明によれば、機器の内部温度を検知する内部温度検知手段によって検知された内部温度が所定温度以上である場合と所定温度未満である場合とで多色表示器の表示色を異ならせて表示を行わせるようにしているため、使用者が本体外部から見て、本体内部が冷えていて、ルーバーを外して清掃を行っても安全であるというタイミングを容易に確認することができる。
【発明を実施するための最良の形態】
【０００９】
実施の形態１．
以下、本発明の実施の形態１を図に基づいて説明する。
【００１０】
図１は本発明の実施の形態１を示す温風暖房機の正面外観図、図２は本発明の実施の形態１を示す温風暖房機におけるルーバーの着脱状態を示す要部拡大図、図３は本発明の実施の形態１を示す温風暖房機の制御装置のブロック図である。
【００１１】
図において、温風暖房機の本体１の内部には、熱源としてのバーナ２が設置されている。また、この本体１の前面上部には操作表示部３が設けられている。この操作表示部３は２色以上の表示が可能な多色表示器としての多色ＬＥＤ３ａや７セグメント表示器３ｂ、及び運転スイッチ３ｃを含む各種設定を行う複数のスイッチから構成している。
前記本体１の前面には開口部４が設けられている。この開口部４の一側部には温風吹出口５が設けられ、他側部にはベース部６が設けられている。ルーバー７は前記開口部４に合致して前記温風吹出口５の前面に設けられている。
前記ルーバー７は、開口部４の一端に開設された係止穴部８にルーバー７に設けられた爪部９を合致させ、ベース部６に設けられたネジ穴１０、ルーバー７に設けられたネジ穴１１により２個の摘みネジ１２によってベース部６に取り付けられている。これにより、使用者は２個の摘みネジ１２手で摘んで締めたり外したりすることで、ルーバー７を温風吹出口５から容易に着脱できる構成となっている。
【００１２】
ルーバー検知手段としてのマイクロスイッチ１３は、前記ルーバー７が開口部４に合致して取り付いているかどうかを検知する。内部温度検知手段１４は、使用者が掃除を行う際に触ることのできる本体１内部の温度を測定する。対流ファン１５は、バーナ２で発生した高温ガスを温風に変換して放出する。制御手段１６は、前記操作表示部３の各種スイッチ及びルーバー検知手段としてのマイクロスイッチ１３や内部温度検知手段１４からの検知信号に基づいて予め記憶されたプログラムに従って温風暖房機全体の制御を行う。
【００１３】
図４は本発明の実施の形態１を示すルーバー検知手段１３の要部拡大図である。
【００１４】
図４において、６ａはベース部６に設けられた抜き穴、７ａはルーバー７に設けられた押込ピンであり、ルーバー７を開口部４に取り付けると、押込ピン７ａは抜き穴６ａを貫通し、マイクロスイッチ１３のレバー１３ａを押し込む。これによってルーバー７が開口部４に合致して取り付いているかどうかを検知することができる。
なお、ここでは、ルーバー検知手段に機械式のマイクロスイッチ１３を用いているが、光学式スイッチや磁気式スイッチなどを用いてもよい。
【００１５】
次に、上記実施の形態１に示す温風暖房機のルーバー７の着脱作業について説明する。
まず、ルーバー７を開口部４に取り付ける際は、ルーバー７の一端に設けられた爪部９を開口部４の一端に開設された係止穴部８に合致させた後、摘みネジ１２を、ネジ穴１１を貫通させてネジ穴１０に締め付けることによって、ルーバー７の取り付けが完了する。  一方、ルーバー７を開口部４から取り外す際は、前述の取り付け時とは逆の手順で取り外すものである。
【００１６】
次に、上記実施の形態１の動作を図５を参照しながら説明する。
図５は本発明の実施の形態１を示す温風暖房機の制御動作のフローチャートである。
【００１７】
図５において、使用者が本体１の操作表示部３に配置された運転スイッチ３ｃをＯＮにすると、暖房運転開始の信号が制御手段１６に入力される（ステップ２０）。スイッチ１３によりルーバー７が開口部４に装着されていることが確認されると（ステップ２１）、バーナ２での燃焼を開始し（ステップ２２）、同時に対流ファン１５の回転制御を行う（ステップ２３）。これにより、バーナ２での燃焼によって生じた高温ガスは、対流ファン１５の回転によって吸い込まれた外部空気と混合されながら、前面に押し出され、温風となって温風吹出口５より放出され、室内の暖房を行う。
【００１８】
一方、使用者がステップ２０で運転スイッチ３ｃをＯＦＦにすると、このＯＦＦ信号を受けて制御手段１６はバーナ２での燃焼を停止し、消火動作を行う（ステップ２４）。消火後、所定時間（例えば、３分間）は燃焼中に発生した熱により高温になっている本体１内部を冷却するために、対流ファン１５を回転数させて冷却を行い（ステップ２６）、所定時間（例えば、３分間）が経過すると、対流ファン１５を停止させる（ステップ２７）。
【００１９】
ところで、暖房運転中に使用者が誤ってルーバー７を外した場合は、押込ピン７ａによる前記マイクロスイッチ１３のレバー１３ａの押し込みが解除され、マイクロスイッチ１３はルーバー７が外されたことを検知し（ステップ２１）、制御手段１６が直ちに消火動作を行うようになっている。
【００２０】
なお、暖房運転中や消火中に関係無く、内部温度検知手段１４によって本体１の内部温度を測定しており（ステップ２８）、本体１の内部が高温であり、使用者が触れると火傷等をしてしまうおそれのある所定温度以上（例えば５０℃以上）である場合には、制御手段１６が前記多色ＬＥＤ３ａに例えば赤色の表示を行わせることによって、使用者に本体１の内部が高温であることをお知らせする（ステップ２９）。
【００２１】
一方、本体１の内部温度が触れても安全な所定温度未満（例えば５０℃未満）まで冷めている場合には、制御手段１６が前記多色ＬＥＤ３ａに例えば青色の表示を行わせることによって、使用者に本体１の内部が冷めており、ルーバー７を外して温風吹出口５付近（本体１内部）の清掃を行っても安全な状態となっていることを知らせる（ステップ３０）。
【００２２】
以上のように、本発明の実施の形態１によれば、本体１の内部温度を検知する内部温度検知手段１４によって検知された内部温度が所定温度以上である場合には、操作表示部３内に設けられた多色ＬＥＤ３ａに例えば赤色の表示を行わせ、また、所定温度未満である場合には、前記多色ＬＥＤ３ａに例えば青色の表示を行わせるようにしたので、使用者は本体１の外部から見て、多色ＬＥＤ３ａの表示色を見ることによって、本体１の内部が高温であるのか低温であるのか、すなわち本体１の内部が冷めていて、ルーバー７を外して本体１の内部の清掃を行っても安全であるというタイミングを容易に確認することができる。
【００２３】
また、実施の形態１では、本体１の内部温度を検知する手段として内部温度検知手段１４を用いているが、バーナ２の温度を検知するバーナ温度検知手段（図示せず）や、温風吹出口５から吹き出す温風温度を直接検知する温風温度検知手段（図示せず）など、温風暖房機の本体１の内部に予め備えられている既設の温度検知手段を流用することで内部温度を類推してもよい。
【００２４】
また、実施の形態１では、内部温度検知手段１４によって検知された内部温度が所定温度以上である場合と所定温度未満である場合で、多色ＬＥＤ３ａの表示色を変えるようにしているが、所定温度以上と所定温度未満の間に注意を促す温度領域を設けて、この温度領域のときは、前記多色ＬＥＤ３ａに別の表示色、例えば黄色表示を行わせるようにしてもよい。
【００２５】
実施の形態２．
次に、本発明の実施の形態２を図６を参照しながら説明する。
図６は本発明の実施の形態２を示す温風暖房機の制御動作のフローチャートである。
【００２６】
図６において、ステップ２０〜２７までの動作は、図５で上述した実施の形態１の動作と同一なので、説明は省略し、相違する部分についてのみ説明する。
【００２７】
この実施の形態２における温風暖房機では、操作表示部３に通常温風暖房機等に備わっている温度情報や時計等を表示する表示器（液晶や７セグメント表示器）に２色以上の表示が可能な７セグメント表示器３ｂを使用しており、ステップ２８において、内部温度検知手段１４によって本体１の内部が高温であり、使用者が触れると火傷等をしてしまうおそれのある所定温度以上（例えば５０℃以上）が検知された場合には、制御手段１６が前記７セグメント表示器３ｂに、表示内容は普段の表示（温度情報や時計等の表示）と変えないで、表示色を例えば赤色にして表示させることによって、使用者に普段表示している内容を知らせながら、本体１の内部が高温であることを知らせる（ステップ３１）。
【００２８】
一方、内部温度検知手段１４によって本体１の内部温度が触れても安全な所定温度未満（例えば５０℃未満）が検知された場合には、前記７セグメント表示器３ｂに、表示内容は普段の表示と変えないで、表示色を例えば緑色にして表示させることによって、使用者に普段表示している内容を知らせながら、本体１の内部が冷めており、ルーバー７を外して温風吹出口５付近（本体１内部）の清掃を行っても安全な状態となっていることを知らせる（ステップ３２）。
【００２９】
以上のように、本発明の実施の形態２によれば、本体１の内部温度を検知する内部温度検知手段１４によって検知された内部温度が所定温度以上である場合、操作表示部３に設けられた２色以上の表示が可能な７セグメント表示器３ｂに、表示内容は普段の表示と変えないで、表示色を例えば赤色にして表示させ、また、所定温度未満である場合には、前記７セグメント表示器３ｂに、表示内容は普段の表示と変えないで、表示色を例えば緑色にして表示させるようにしたので、使用者は本体１の外部から見て、表示器の表示内容と色によって、普段表示している内容を確認しながら、本体１の内部が高温であるのか低温であるのか、すなわち本体１の内部が冷めていて、ルーバー７を外して本体１の内部の清掃を行っても安全であるというタイミングを容易に確認することができる。
【００３０】
実施の形態３．
次に、本発明の実施の形態３を図７〜図９を参照しながら説明する。
図７は本発明の実施の形態３を示す温風暖房機の正面外観図である。
【００３１】
図７において、３ｄは操作表示部３内に設けられた内部状態表示スイッチであり、この内部状態表示スイッチ３ｄをＯＦＦにした場合には、７セグメント表示器３ｂに普段の表示（温度情報や時計等の表示）を行わせ、ＯＮにした場合には、７セグメント表示器３ｂに本体１の内部温度の状態表示を行わせるようになっている。また、図７におけるその他の構成に関しては、実施の形態１での図１の構成と同一なので、説明は省略する。
【００３２】
図８は本発明の実施の形態３を示す温風暖房機の制御動作のフローチャートである。
【００３３】
図８において、ステップ２０〜２７までの動作は、図５で上述した実施の形態１の動作と同一なので、説明は省略し、相違する部分についてのみ説明する。
【００３４】
実施の形態３における温風暖房機は、実施の形態２と同様に操作表示部３内に通常温風暖房機等に備わっている温度情報や時計等を表示する表示器（液晶や７セグメント表示器）に２色以上の表示が可能な７セグメント表示器３ｂを使用しており、内部状態表示スイッチ３ｄをＯＦＦにした場合は（ステップ３３）、この７セグメント表示器３ｂに普段の表示内容（温度情報や時計等の表示）を普段の表示色、例えば緑色にして表示している（ステップ３４）。
【００３５】
一方、暖房運転中や消火中に関係無く、使用者がステップ３３で内部状態表示スイッチ３ｄをＯＮにすると、本体１の内部温度を検知する内部温度検知手段１４によって検知された内部温度が、使用者が触れると火傷等をしてしまうおそれのある所定温度以上（例えば５０℃以上）である場合には（ステップ２８）、前記７セグメント表示器３ｂに、本体１の内部が高温であることを示す特定のコード表示（例えば、図９（ａ）のような『ｈｏｔ』表示）を、表示色を例えば赤色にして表示させることによって、使用者に本体１の内部が高温であることを知らせる（ステップ３５）。
【００３６】
また、ステップ２８において、本体１の内部温度が触れても安全な所定温度未満（例えば５０℃未満）まで冷めていると、前記７セグメント表示器３ｂに、本体１の内部が低温であることを示す特定のコード表示（例えば、図９（ｂ）のような『ｃｏｌｄ』表示）を、表示色を例えば青色にして表示させることによって、使用者に、本体１の内部が冷めており、ルーバー７を外して温風吹出口５付近（本体１内部）の清掃を行っても安全な状態となっていることをお知らせする（ステップ３６）。
【００３７】
以上のように、本発明の実施の形態３によれば、本体１の内部温度の状態表示とに切り換えるための内部状態表示スイッチ３ｄを設け、この内部状態表示スイッチ３ｄをＯＦＦにすることによって７セグメント表示器３ｂの表示内容を普段の表示（温度情報や時計等の表示）を行わせ、内部状態表示スイッチ３ｄをＯＮにすることによって、内部温度検知手段１４によって検知された内部温度が所定温度以上である場合には、前記７セグメント表示器３ｂに、本体１の内部が高温であることを示す特定のコード表示を、表示色を例えば赤色にして表示させ、また、所定温度未満である場合には、前記７セグメント表示器３ｂに、本体１の内部が低温であることを示す特定のコード表示を、表示色を例えば青色にして表示させるようにしたので、使用者は、ルーバー７を外して本体１の内部の清掃を行いたいタイミングで、内部状態表示スイッチ３ｄをＯＮにすれば、表示器の表示コード内容と色によって、本体１の内部が高温であるのか低温であるのか、すなわち、本体１の内部が冷めていてルーバー７を外して本体１の内部の清掃を行っても安全であるのかどうかを確認することができる。
また、本体１の内部が高温であることの表示を、７セグメント表示器３ｂに内部温度で表示するようにしてもよく、内部温度で表示する場合は、本体１の内部が冷めるまでのおおまかな時間を予測することができるため、あとどのくらいで、ルーバー７を外して本体１の内部の清掃を行っても安全になるのかという時間を把握しやすくなる。
【００３８】
実施の形態４．
次に、本発明の実施の形態４を図１０〜図１１を参照しながら説明する。
図１０は本発明の実施の形態４を示す温風暖房機の正面外観図である。
【００３９】
図１０において、１７は予め石油ファンヒーター等の燃焼器に備わっている確認音や警告音等を発する報知器である。また、図１０におけるその他の構成に関しては、実施の形態１で示した図１の構成と同一なので、説明は省略する。
【００４０】
図１１は本発明の実施の形態４を示すルーバー７の着脱状態に対する制御動作のフローチャートである。
【００４１】
実施の形態４における温風暖房機は、暖房運転中や消火中に関係無く、マイクロスイッチ１３のレバー１３ａの押し込み状態によりルーバー７が外れているかどうかを検知しており（ステップ３７）、ルーバー７が装着されている場合には、操作表示部３内に設けられた２色以上の表示が可能な７セグメント表示器３ｂに、それぞれ本体１の状態に対応した表示内容と色での表示を行う（ステップ３９）。
【００４２】
一方、ルーバー７が外されている場合には、本体１の内部温度を検知する内部温度検知手段１４によって検知された内部温度が、触れても安全な所定温度未満（例えば５０℃未満）まで冷めていると（ステップ３８）、前記７セグメント表示器３ｂに、それぞれ本体１の状態に対応した表示内容と色での表示を行い（ステップ４０）、ステップ３８で本体１の内部が高温であり、使用者が触れると火傷等をしてしまうおそれのある所定温度以上（例えば５０℃以上）である場合には、前記７セグメント表示器３ｂに、本体１の内部が高温であることを示す特定のコード表示（例えば、図９のような『ｈｏｔ』表示）を、点滅表示で、かつ表示色を例えば赤色にして表示させると共に（ステップ４１）、報知器１７により注意音を鳴らすことによって（ステップ４２）、使用者に本体１の内部が高温であるにもかかわらず、ルーバー７が外されていることを知らせる。
【００４３】
以上のように、本発明の実施の形態４によれば、本体１の内部温度を検知する内部温度検知手段１４によって検知された内部温度が所定温度以上であるにもかかわらず、ルーバー７が外されている場合には、操作表示部３内に設けられた２色以上の表示が可能な７セグメント表示器３ｂに、本体１の内部が高温であることを示す特定のコードを、点滅表示で、かつ表示色を例えば赤色にして表示させると共に、報知器１７により注意音を鳴らすようにしたので、万が一、使用者が本体１の内部が高温であるときにルーバー７を外してしまっても、内部に触れる前に本体１の内部が高温であることに気がつき、誤って本体１の内部に触れてしまい火傷等を負ってしまうといった問題が解消される。
【図面の簡単な説明】
【００４４】
【図１】本発明の実施の形態１を示す温風暖房機の正面外観図である。
【図２】本発明の実施の形態１を示す温風暖房機におけるルーバーの着脱状態を示す要部拡大図である。
【図３】本発明の実施の形態１を示す温風暖房機の制御装置のブロック図である。
【図４】本発明の実施の形態１を示すルーバー検知手段の要部拡大図である。
【図５】本発明の実施の形態１を示す温風暖房機の制御動作のフローチャートである。
【図６】本発明の実施の形態２を示す温風暖房機の制御動作のフローチャートである。
【図７】本発明の実施の形態３を示す温風暖房機の正面外観図である。
【図８】本発明の実施の形態３を示す温風暖房機の制御動作のフローチャートである。
【図９】（ａ）は本体の内部温度が高温時の特定のコード表示例を示し、（ｂ）は本体の内部温度が低温時の特定のコード表示例を示す
【図１０】本発明の実施の形態４を示す温風暖房機の正面外観図である。
【図１１】本発明の実施の形態４を示すルーバーの着脱状態に対する制御動作のフローチャートである。
【符号の説明】
【００４５】
１  本体
２  熱源（バーナ）
３  操作表示部
３ａ  多色ＬＥＤ（多色表示器）
３ｂ  ７セグメント表示器（多色表示器）
３ｃ  運転スイッチ
４  開口部
５  温風吹出口
６  ベース部
６ａ  抜き穴
７  ルーバー
７ａ  押込ピン
８  係止穴部
９  爪部
１０  ネジ穴
１１  ネジ穴
１２  摘みネジ
１３  マイクロスイッチ（ルーバー検知手段）
１４  内部温度検知手段
１５  対流ファン
１６  制御手段
１７  報知器
【図１】
2005201568.tif 000003
【図２】
2005201568.tif 000004
【図３】
2005201568.tif 000005
【図４】
2005201568.tif 000006
【図５】
2005201568.tif 000007
【図６】
2005201568.tif 000008
【図７】
2005201568.tif 000009
【図８】
2005201568.tif 000010
【図９】
2005201568.tif 000011
【図１０】
2005201568.tif 000012
【図１１】
2005201568.tif 000013